(57)【特許請求の範囲】
【請求項１】
本体の外面に開口された吸気口と吹出口とを連通する風路と、
前記風路の途中に配置され空気を送風する送風機と、
前記送風機で送風された空気を加湿する加湿フィルタと、
前記加湿フィルタに給水する加湿トレーと、
前記加湿トレーに装着され、前記加湿トレーに給水する水を貯水する給水タンクと、を含み、
前記加湿トレーと前記給水タンクは、前記本体の同一の立面に連続して設けられた開口部より着脱可能な構成とし、
前記加湿トレーが前記本体に収容された状態において、前記給水タンクが装着された場合に前記加湿トレーの前記本体からの離脱を規制し、前記給水タンクが装着されない場合は前記加湿トレーの前記本体からの離脱を可能とする規制手段を備え、
前記規制手段は、前記加湿トレーに前記給水タンクの着脱により可動する可動部を備え、前記本体に前記可動部を保持する保持部を備えた構成の、
加湿機。
【請求項２】
請求項１に記載の加湿機と、
前記風路の前記送風機と前記加湿フィルタとの間に空気を加熱するヒータと、を備え、
前記吹出口より加湿された温風を吹き出すことを特徴とする、
加湿温風機。
【請求項３】
前記風路は前記ヒータの下流側で、前記加湿フィルタに連通する加湿風路と、前記加湿フィルタを通過させずに前記吹出口に直接連通する温風風路とに分岐し、
前記風路の分岐点に、前記加湿風路および前記温風風路のいずれか一方または両方に温風を選択的に送風するダンパと、
前記ダンパの操作を行う操作手段を備え、
前記、ダンパの操作により、温風と加湿温風の吹き出しが選択可能な、
請求項２に記載の加湿温風機。
【発明の詳細な説明】
【技術分野】
【０００１】
本発明は、吸水した加湿フィルタに空気を送給して気化させる気化式の加湿機に関するものである。
【背景技術】
【０００２】
従来、この種の加湿機は、本体内に吸気口から吹出口まで連通している流路に送風機とヒータと加湿部を設け、加湿部に水を供給する水槽ユニットと水槽ユニットに水を供給する給水タンクとを備え、水槽ユニットは加湿機の本体の横方向に着脱自在に設置し、給水タンクは本体の天面より装着する構成とし、給水タンクの装着時には給水タンクが水槽に係合することにより、水槽ユニットが本体より脱離しない構成となっている（例えば、特許文献１参照）。
【０００３】
図９は特許文献１に記載された従来の加湿機の外装の一部を取り外した状態の斜視図を示し、図１０は従来の加湿機の水槽ユニットの斜視図を示すものである。なお、図の矢印Ｙで示す方向が前面方向である。
【０００４】
図９に示すように、加湿機の本体１の背面には吸気口２が設置されており、天面の後部には吹き出し口３が設けられている。天面の前部には給水タンク（図示せず）を矢印Ｚの方向に出し入れする装着部４が設けられている。本体１内部の中央部には送風機５が設置されており、前部には給水タンクを収容するタンク収容スペース６が確保されている。本体１の下部には矢印Ｘに示すように、本体１の側方部に出入可能に水槽ユニット７が配置されており、水槽ユニット７の中央部には加湿部８が設置されている。
【０００５】
図１０に示すように水槽ユニット７は後部に加湿部８が設置されており、加湿部８と水槽ユニット７とは着脱可能であり、水槽ユニット７から取り外して清掃可能な構成となっている。水槽ユニット７の前部には給水タンクの水を受ける受水部９が形成されており、受水部９で受水した水が水槽ユニット７の後部に流入して加湿部８に給水される構成となっている。
【先行技術文献】
【特許文献】
【０００６】
【特許文献１】特開２００７−１７８１２１号公報
【発明の概要】
【発明が解決しようとする課題】
【０００７】
しかしながら、前記従来の構成では、開閉可能な給水タンクの装着部が本体の天面に、また水槽ユニットの装着部が本体の側面に設けられており、給水タンクの着脱は本体の上方から給水タンクを持ち上げて行い、水槽ユニットの着脱は本体の側面から摺動させて行っている。そのため、特に加湿機を高い位置に設置した場合には、給水タンクの着脱作業を行うときに高い位置まで持ち上げる必要があり作業性の面で改善の余地があった。
【０００８】
また、本体の天面に給水タンクの着脱口を設けることにより、天面に操作部を設ける場合には設置スペースが狭くなり、操作スイッチや表示を小さくすることが余儀なくされる
ため操作性の面で改良の余地があった。
【０００９】
本発明は、前記従来の課題を解決するもので、給水タンクと水槽ユニットの装着部を本体の背面に設置し、給水タンクの着脱を本体背面の低い位置で可能とすることにより、使い勝手の向上と不用意な漏水等の発生を抑制するとともに、本体上面に操作部を設ける十分なスペースを確保することにより、視認しやすくかつ操作しやすい操作部の設置が可能となり、使い勝手が良くかつ安全性が高く、しかもデザイン性の高い加湿機を提供することを目的とする。
【課題を解決するための手段】
【００１０】
前記従来の課題を解決するために、本発明の加湿器は、本体の外面に開口された吸気口と吹出口とを連通する風路と、風路の途中に配置され空気を送風する送風機と、送風機で送風された空気を加湿する加湿フィルタと、加湿フィルタに給水する加湿トレーと、加湿トレーに装着され、加湿トレーに給水する水を貯水する給水タンクとを含み、加湿トレーと給水タンクは、本体の同一の立面に連続して設けられた開口部より着脱可能な構成とし、加湿トレーが本体に収容された状態において、給水タンクが装着された場合に加湿トレーの本体からの離脱を規制し、給水タンクが装着されない場合は加湿トレーの本体からの離脱を可能とする規制手段を備えた加湿機である。
【００１１】
これにより、給水タンクは本体の立面に設けられた低い位置の開口部から着脱可能となり安全かつ容易に着脱作業を行うことができる。また、給水タンクを加湿トレーに装着時には、加湿トレーが本体から離脱することがなく、不用意に漏水等の異常状態が発生することを抑制することができ安全性が高い。また、本体上面には広いスペースの操作部を設置することが可能となり、デザイン性が高くかつ操作性の高い使い勝手のより加湿機を提供することができる。
【発明の効果】
【００１２】
本発明の加湿器は、安全性と使い勝手とデザイン性を向上することができる。
【図面の簡単な説明】
【００１３】
【図１】本発明の実施の形態１における加湿温風機の外観斜視図
【図２】図１にＡＡで示す断面図
【図３】図１にＢＢで示す断面図
【図４】本発明の実施の形態１における加湿温風機の扉を開放した状態の背面側の斜視図
【図５】本発明の実施の形態１における加湿温風機の本体から給水タンクの着脱操作途中を示す斜視図
【図６】本発明の実施の形態１における加湿温風機の本体から給水タンクと給水トレーを取り外した状態を示す斜視図
【図７】本発明の実施の形態１における加湿温風機の本体から給水タンクを取り外した状態を示す断面図
【図８】本発明の実施の形態１における加湿温風機の本体に給水タンクを設置した状態を示す断面図
【図９】従来の加湿機の外郭の一部を取り外した状態の斜視図
【図１０】従来の加湿機の水槽ユニットの斜視図
【発明を実施するための形態】
【００１４】
第１の発明は、本体の外面に開口された吸気口と吹出口とを連通する風路と、前記風路の途中に配置され空気を送風する送風機と、前記送風機で送風された空気を加湿する加湿フィルタと、前記加湿フィルタに給水する加湿トレーと、前記加湿トレーに装着され、前
記加湿トレーに給水する水を貯水する給水タンクと、を含み、前記加湿トレーと前記給水タンクは、前記本体の同一の立面に連続して設けられた開口部より着脱可能な構成とし、前記加湿トレーが前記本体に収容された状態において、前記給水タンクが装着された場合に前記加湿トレーの前記本体からの離脱を規制し、前記給水タンクが装着されない場合は前記加湿トレーの前記本体からの離脱を可能とする規制手段を備え、前記規制手段は、前記加湿トレーに前記給水タンクの着脱により可動する可動部を備え、前記本体に前記可動部を保持する保持部を備えた構成の加湿機である。
【００１５】
これにより、給水タンクは本体の立面に設けられた低い位置の開口部から着脱可能となり安全かつ容易に着脱作業を行うことができる。また、給水タンクを加湿トレーに装着したときは、加湿トレーの可動部が本体の保持部に保持され加湿トレーの本体からの離脱が規制され、給水タンクが加湿トレーに装着されていないときは、加湿トレーの可動部が本体の保持部から離脱し、加湿トレーの規制が解除され、本体から取り出すことが可能となり、加湿機の移動時や給水タンクや加湿トレーの着脱操作時に不用意に漏水が発生することを抑制することができ安全性が高い。また、本体上面には広いスペースの操作部を設置することが可能となり、デザイン性が高くかつ操作性の高い使い勝手のより加湿機を提供することができる。
【００１６】
第２の発明は、第１の発明の加湿機と、前記風路の前記送風機と前記加湿フィルタとの間に空気を加熱するヒータとを備え、前記吹出口より加湿された温風を吹き出すことを特徴とする加湿温風機である。
【００１７】
これにより、湿度が低い温風に加湿することができ、適度な湿度を備えた温風で暖房効果を発揮させることができる。
【００１８】
第３の発明は、特に第２の発明において、前記風路は前記ヒータの下流側で、前記加湿フィルタに連通する加湿風路と、前記加湿フィルタを通過させずに前記吹出口に直接連通する温風風路とに分岐し、前記風路の分岐点に、前記加湿風路および前記温風風路のいずれか一方または両方に温風を選択的に送風するダンパと、前記ダンパの操作を行う操作手段を備え、前記ダンパの操作により、温風と加湿温風の吹き出しが選択可能としたものである。
【００１９】
これにより、温風のみの送風と加湿温風の選択が可能となり、短時間の暖房をする場合は温風を選択することにより短時間で昇温することが可能となり、長時間の暖房する場合は加湿温風を選択することにより快適な暖房効果を得ることができる。
【００２０】
以下、本発明の実施の形態について、図面を参照しながら説明する。なお、この実施の形態によって本発明が限定されるものではない。
【００２１】
（実施の形態１）
図１は本実施の形態における加湿機を備えた加湿温風機の外観を示す斜視図であり、図２は図１に示すＡＡ断面図を示し、図３は図１に示すＢＢ断面図を示し、図４は加湿温風機の扉を開放した状態の背面を示す斜視図である。
【００２２】
＜１＞加湿機の構成
図１および図４に示すように、加湿温風機１００の本体１１０の上面には操作部１２０が、背面には吸気口１３０が、前面には吹出口１４０が設けられており、図２に示すように本体１１０内には吸気口１３０から吹出口１４０まで風路１５０が連通している。風路１５０には、吸気口１３０に近い最も上流側には送風機１６０が配置されており吸気口１３０から吸引した外気を風路１５０に送風する。
【００２３】
送風機１６０の下流にはヒータ１７０が配置されている。ヒータ１７０は全体で１２００Ｗの容量であるが、全体を２分割した構成であり、低容量の加熱を行うときは、その半分にのみに通電することで６００Ｗの容量で加熱することができる。
【００２４】
風路１５０は送風機１６０とヒータ１７０との間で分岐した分岐風路を備えており、分岐した風路は静電霧化部１８０を介して吹出口１４０に連通する静電霧化風路１５１を形成している。送風機１６０から送風された少量（約５％）の風量が静電霧化風路１５１に常時供給される構成となっている。
【００２５】
また、風路１５０はヒータ１７０の下流で２本に分岐しており、一方は吹出口１４０に直接連通する温風風路１５２と、他方は加湿部１９０を介して吹出口１４０に連通する加湿風路１５３が形成されている。
【００２６】
風路１５０の分岐点にはダンパ２００が設置されており、ダンパ２００はタイミングモータとギアとクランク等で構成された駆動機構（図示せず）を備えており、ヒータ１７０で加熱された温風を、温風風路１５２のみ、または温風風路１５２と加湿風路１５３の両方に送風することを操作部１２０の操作で選択的に切り替えることができる。
【００２７】
図２に示すようにダンパ２００が位置Ｃの場合、温風は温風風路１５２と加湿風路１５３の両方に同時に送風される。この場合、風量の約１０％を温風風路１５２に送風し、残りを加湿風路１５３に送風する。
【００２８】
ダンパ２００が加湿風路１５３を閉じる位置Ｄに切り替えられた場合は、温風風路１５２にのみ温風が送風される。
【００２９】
図１に示すように、操作部１２０には、加湿温風機１００の電源の「入」、「切」を行う電源スイッチ１２１と、温風運転を連続的に行う温風連続スイッチ１２２と、設定温度に合わせて温風運転を行う温風室温スイッチ１２３と、加湿運転を行う加湿スイッチ１２４と、静電霧化運転を行う静電霧化スイッチ１２５と、入タイマを設定する入タイマスイッチ１２６と、切タイマを設定する切タイマスイッチ１２７と、子供のいたずら等の誤操作をロックするロックスイッチ１２８と、加湿部１９０のメンテナンス後に操作するリセットスイッチ１２９が設けられている。
【００３０】
また、操作部１２０には上記の各種スイッチの操作状態を表示する複数の表示ランプが設置されている。
【００３１】
なお、本実施の形態における加湿温風機１００は、加湿風路１５３とは別に温風風路１５２を設けるとともに、風路を切り替えるダンパ２００と切り替え操作を行う操作スイッチとを設け、「温風」と「加湿温風」とが選択できる構成としたが、これに限るものではなく、例えば、風路は加湿風路１５３のみとし、ダンパ２００および切り替え操作を行う操作スイッチを設けない構成とし、送風機１６０による送風が全て加湿部１９０に供給されるものを加湿機と定義する。なお、ヒータ１７０は加湿機の必須の構成要素ではないが、加湿性能を向上するためにヒータ１７０を備えた構成であってもよい。また、静電霧化部１８０も加湿機の必須の構成要素ではない。
【００３２】
＜２＞静電霧化部の構成
図２に示すように、静電霧化部１８０は、送風機１６０とヒータ１７０との間の風路１５０から分岐した静電霧化風路１５１内に静電霧化ユニット１８１が設置されている。
【００３３】
静電霧化ユニット１８１は、送風機１６０で送風された空気中の水分を結露させて水を生成する結露水生成部と、生成された水に電圧を印加する霧化電極と、霧化電極に対向して設けられた対向電極とで構成されている。
【００３４】
結露水生成部は、冷却基板と放熱基板とを有するペルチェ素子を主構成部材とし、ペルチェ素子の冷却基板には尖鋭形状の霧化電極が設置されており、ペルチェ素子の冷却基板に結露した水が霧化電極に搬送される構成となっている。
【００３５】
尖鋭形状の霧化電極と対向する位置に、霧化電極を包囲するように略ドーム状の対向電極が配置されており、霧化電極と対向電極の間に約３５００Ｖの直流電流が印加することにより、霧化電極に搬送された結露水にレイリー分裂を生じさせ、ナノメートルサイズの帯電微粒子水が発生する。
【００３６】
すなわち、静電霧化ユニット１８１を通過後の空気は、ナノメートルサイズの帯電微粒子水が含まれたものであり、吹出口１４０から帯電微粒子水が放出される。ナノメータサイズの帯電微粒子水は、アンモニア、アセトアルデヒド、酢酸、メタン、一酸化炭素、一酸化窒素、ホルムアルデヒド等の臭気成分の分解除去と各種菌類への殺菌効果を備えており、室内に浮遊および壁面や床面に付着した臭気成分や菌類に対して脱臭と除菌および殺菌の効果を発揮することができる。
【００３７】
＜３＞加湿部の構成
図２および図３に示すように、加湿部１９０は、加湿に使用する水を貯水する給水タンク２１０と、給水タンク２１０から流出した水を貯溜する加湿トレー２２０と、水を気化させる加湿フィルタ２３０と、加湿フィルタ２３０を加湿トレー２２０に取り付けるフィルタトレー２４０を主構成部材として構成されている。
【００３８】
給水タンク２１０は半透明の樹脂材料で成型されており容量約３リットルのボトル形状であり、給水タンク２１０の蓋２１１には、ばねの付勢力により自動的に閉止される閉止栓２１２が設けられており、給水タンク２１０が加湿トレー２２０の所定位置にセットされた場合に閉止栓２１２が自動的に開放され、給水タンク２１０の水が加湿トレー２２０に供給される。給水タンク２１０は本体１１０の背面に設けられたタンク扉２５０を開いて、本体１１０の背面に設けられたタンク開口１１１から本体１１０内に収容および取り出しを行うことができる。
【００３９】
図３に示すように、加湿トレー２２０は給水タンク２１０からの水を受ける水受部２２１と加湿フィルタ２３０に供給する水を貯水する貯水部２２２で構成されている。水受部２２１は略円形の凹陥形状であり、その中央には円柱状の突起部２２３が形成されており、給水タンク２１０の閉止栓２１２が突起部２２３に当接することにより、閉止栓２１２が開放される構成となっている。
【００４０】
貯水部２２２は平面略長方形の箱状に形成されており、加湿トレー２２０の水受部２２１と貯水部２２２は連通溝で連通されており、水受部２２１で給水タンク２１０より給水された水は連通溝を介して貯水部２２２に供給され、一定の水位で貯水される。
【００４１】
また、貯水部２２２の内部には貯水部２２２と略相似形のフィルタトレー２４０が設置されている。フィルタトレー２４０は加湿トレー２２０より耐熱性の高い樹脂材料で成型されており、加湿部１９０に送風される温風で加湿トレー２２０が変形することを防止する目的と、加湿フィルタ２３０を加湿トレー２２０に固定する機能を備えている。
【００４２】
また、加湿トレー２２０の水受部２２１の後方には、加湿トレー２２０を本体１１０に
ロックする規制機構２６０が設置されており、規制機構２６０の詳細は後述する。
【００４３】
加湿フィルタ２３０は樹脂材料で成型した略直方体のフィルタケース２３１と、フィルタケース２３１に内装されたフィルタ材２３２で構成されている。フィルタケース２３１は網目状に形成されており、その内外が通風可能な構成となっている。フィルタ材２３２は樹脂繊維の不織布を蛇行形状に折り曲げて形成した吸水性能および耐熱性の優れたものである。
【００４４】
図６に示すように、加湿トレー２２０は本体１１０背面の下部に設けられたトレー開口１１２より収容および取り出しを行うことができる。また、本実施の形態におけるタンク開口１１１とトレー開口１１２とは中間部に仕切等を配設せず連続して一体的に形成された開口となっている。
【００４５】
＜４＞加湿トレーの規制機構の構成
図７は加湿温風機の本体から給水タンクを取り外した状態を示す断面図であり、図８は加湿温風機の本体に給水タンクを設置した状態を示す断面図である。
【００４６】
本実施の形態における加湿温風機は加湿トレー２２０を本体１１０に収容した状態で、加湿トレー２２０の取り出しを規制する規制機構２６０を備えている。
【００４７】
図７および図８に示すように、規制機構２６０は加湿トレー２２０に設置され上下に摺動する規制棒２６１と、規制棒２６１を上方に付勢するばね２６２と、本体１１０の底部に設けられ規制棒２６１が挿入される保持孔２６３が主な構成部材として構成されている。規制棒２６１は横方向に延出した支持片２６１ａを介してばね２６２で常時上方向に付勢されている。
【００４８】
図７に示すように加湿トレー２２０を本体１１０内に収容して給水タンク２１０が収容されていない状態においては、規制棒２６１はばね２６２の付勢力により上方の開放位置に配置される。この状態では規制棒２６１の下端が加湿トレー２２０の底面より上方に配置され、規制棒２６１は保持孔２６３から抜け出た状態となる。
【００４９】
この状態で、加湿トレー２２０は本体１１０からの着脱を自由に行うことが可能となっている。
【００５０】
一方、図８に示すように加湿トレー２２０を本体１１０内に収容し、かつ給水タンク２１０を収容した状態においては、給水タンク２１０の自重がばね２６２の付勢力に抗して規制棒２６１を下方に移動させ、加湿トレー２２０の底面から突出した規制棒２６１の下端部は本体１１０の底部に設けられた保持孔２６３に挿入される。
【００５１】
この状態においては、規制棒２６１が保持孔２６３により移動が規制されているため、加湿トレー２２０を本体１１０から取り外すことができない。
【００５２】
すなわち、タンク開口１１１とトレー開口１１２は中間部に仕切等を配設せず連続して一体的に形成された開口であるが、本体１１０内に設置した加湿トレー２２０に給水タンク２１０を設置した状態では、加湿トレー２２０を取り外すことはできず、またこれら２個の部材を同時に取り外することもできない。すなわち、これらの部材を取り外す場合は給水タンク２１０を最初に取り出して、次に加湿トレー２２０を取り外すという２段階の作業が必要であり、取り外し作業時に給水タンク２１０や加湿トレー２２０を転倒させて漏水させる危険性を抑制することができる。また、本体１１０に加湿トレー２２０に給水タンク２１０を取り付ける場合も、最初に加湿トレー２２０を取り付け、次に給水タンク
２１０を取り付ける２段階の作業手順が必須であり、給水タンク２１０と加湿トレー２２０の取り付けおよび取り外し作業時における漏水の危険性を抑制することができる。
【００５３】
＜５＞加湿温風機の動作、作用
加湿温風機１００を使用する場合、準備作業として加湿フィルタ２３０とフィルタトレー２４０を加湿トレーの貯水部２２２にセットし、トレー開口１１２から本体１１０内に収容する。次に水を充填した給水タンク２１０を本体１１０背面のタンク扉２５０を開放して本体１１０内に収容し、タンク扉２５０を閉塞する。
【００５４】
準備作業完了状態において、給水タンク２１０の水は加湿トレー２２０の水受部２２１に流出し、連通溝を介して貯水部２２２に流入し、所定の水位に達したら停止する。この状態で加湿フィルタ２３０の下側の約１／３は水没した状態になり、毛細管現象によりフィルタ材２３２全体が吸水状態となる。
【００５５】
加湿温風機１００の運転を開始する場合、まず操作部１２０の電源スイッチ１２１を「入」にし、次に好みの運転モードを選択する。運転モードとしては、「温風」、「加湿」、「静電霧化」３つの基本的な運転モードがあるが、これに加え「温風」と「加湿」を同時に行う「加湿温風」の運転モードがある。また、「静電霧化」の運転モードは単独の運転モードに加え、他の「温風」、「加湿」、「加湿温風」の運転モードとの同時運転が可能な構成となっている。
【００５６】
温風モードの運転を行う場合は、温風連続スイッチ１２２か温風室温スイッチ１２３のどちらかを選択操作する。温風連続スイッチ１２２を選択した場合には、加湿温風機１００はヒータ１７０が「強」または「弱」の容量で室温に関係なく温風を吹き出す。また、温風室温スイッチ１２３を選択した場合、室温に連動してヒータ１７０の容量を切り換えて室温を所定温度に保つように運転する。
【００５７】
温風モードの運転を行う場合は、ダンパ２００は加湿風路１５３を閉じる位置Ｄに配置され、温風は温風風路１５２のみに供給され吹出口１４０から吹き出す。この場合、吹き出す温風は高温で乾燥した状態のものであり、このモードは短時間の部屋の暖房や、乾燥を目的とした使用に適している。
【００５８】
加湿モードの運転を行う場合は加湿スイッチ１２４を操作する。加湿モードの運転の場合、ヒータ１７０の容量は低容量（約６００Ｗ）に設定される。ダンパ２００は温風を主に加湿風路１５３に送風する位置Ｃに配置され、低温の温風は温風風路１５２と加湿風路１５３の両方に送風され、温風風路１５２を通過した乾燥状態の温風と、加湿風路１５３を通過し加湿部１９０で加湿された加湿空気が吹出口１４０の手前で混合され、吹出口１４０から吹き出す。
【００５９】
このモードの場合、温風の一部を温風風路１５２を介して直接吹き出させることにより、流速の早い温風が吹出口１４０の手前で加湿空気を吸引して加湿空気を遠くまで吹き出す効果を得ることができる。
【００６０】
温風モードの運転と加湿モードの運転を同時に行う加湿温風モードの運転を行う場合を、上記のように温風連続スイッチ１２２か温風室温スイッチ１２３のどちらかと加湿スイッチを操作する。
【００６１】
加湿温風モードの運転の場合、ダンパ２００の位置および送風状態は加湿運転の場合と同じであるが、ヒータ１７０の容量が１２００Ｗの最大容量で運転される。そのため、適度に加湿された温風が吹き出し、長時間に亘り部屋を快適に暖房する場合に最も適したモ
ードである。
【００６２】
静電霧化モードの運転を行う場合は静電霧化スイッチ１２５を操作する。静電霧化スイッチ１２５を操作することにより、静電霧化ユニット１８１に通電され、静電霧化ユニット１８１は送風機１６０から送風された空気に含まれる水分からナノメートルサイズの帯電微粒子を発生し、帯電微粒子を含む空気を吹出口１４０から吹き出す。
【００６３】
静電霧化モードの運転は、単独運転で実施することに加え、温風運転、加湿運転、加湿温風運転の各運転モードと同時に運転することが可能であり、いずれの運転モードにおいても室内に浮遊および壁面や床面に付着した臭気成分や菌類に対して脱臭と除菌および殺菌の効果を発揮することができる。
【００６４】
運転を停止する場合は、電源スイッチ１２１を「切」操作することにより、加湿温風機１００の運転が停止する。
【００６５】
運転停止の状態で、給水タンク２１０の水の補充や加湿フィルタ２３０のメンテナンス等を実施することができる。加湿フィルタ２３０のメンテナンスを行う場合は、まず給水タンク２１０を本体１１０から取り外し、加湿トレー２２０の規制機構２６０を開放してから加湿トレー２２０を本体１１０から引き出して取り外すことが必須である。加湿フィルタ２３０とフィルタトレー２４０を加湿トレー２２０から取り外して水洗いをすることによりフィルタ材の中に堆積したスケールやごみを取り除ことができる。
【００６６】
以上のように、本実施に形態の加湿温風機１００は、加湿トレー２２０と給水タンク２１０は本体１１０の背面に連続して設けられた開口部より着脱可能な構成としたことにより、給水タンク２１０の着脱作業には給水タンク２１０を高い位置まで持ち上げる必要がなく、本体１１０の低い位置のタンク開口１１１から着脱可能となり安全かつ容易に着脱作業を行うことができる。
【００６７】
また、タンク開口１１１とトレー開口１１２を本体１１０の背面に一体の連続した開口部として設けたことにより、本体１１０の前面と上面および側面に発生する接合部を少なくすることができ、特に本体１１０上面には広いスペースの操作部１２０を設置することが可能となり、デザイン性が高くかつ操作性の高い使い勝手のより加湿温風機を提供することができる。
【００６８】
また、加湿トレー２２０が本体１１０に収容された状態において、給水タンク２１０が装着された場合には加湿トレー２２０が本体１１０から離脱することが規制され、給水タンク２１０が装着されない場合は加湿トレー２２０の離脱を可能とする規制機構２６０を備えたことにより、給水タンク２１０が加湿トレー２２０に装着された状態においては、加湿トレー２２０が本体１１０から離脱することがなく、不用意に漏水等の異常が発生することを抑制することができ安全性が高い。
【産業上の利用可能性】
【００６９】
以上のように、本発明にかかる加湿機は、給水タンクの操作性と漏水を抑制することが可能となるので、水および他の液体を使用する他の民生用機器等の用途にも適用できる。
【符号の説明】
【００７０】
１００  加湿温風機
１１０  本体
１１１  タンク開口（開口部）
１１２  トレー開口（開口部）
１２０  操作部（操作手段）
１３０  吸気口
１４０  吹出口
１５０  風路
１５２  温風風路
１５３  加湿風路
１６０  送風機
１７０  ヒータ
２００  ダンパ
２１０  給水タンク
２２０  加湿トレー
２３０  加湿フィルタ
２６０  規制機構（規制手段）
２６１  規制棒（可動部）
２６３  保持孔（保持部）
【図１】
0005824610.tif 000002
【図２】
0005824610.tif 000003
【図３】
0005824610.tif 000004
【図４】
0005824610.tif 000005
【図５】
0005824610.tif 000006
【図６】
0005824610.tif 000007
【図７】
0005824610.tif 000008
【図８】
0005824610.tif 000009
【図９】
0005824610.tif 000010
【図１０】
0005824610.tif 000011